(57)【特許請求の範囲】
【請求項１】
撮像映像を外部記憶装置に記憶させる撮像装置であって、
複数の取得方法の中から第１の取得方法が選択された場合は、前記外部記憶装置のバッテリに関する情報を含むバッテリキャパシティ情報と、前記外部記憶装置の記憶容量に関する情報を含むストレージキャパシティ情報とを問い合せるコマンドを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記外部記憶装置の記憶手段から前記バッテリキャパシティ情報及び前記ストレージキャパシティ情報を読み出すことを要求するリクエストを前記外部記憶装置に送信し、前記バッテリキャパシティ情報及び前記ストレージキャパシティ情報を含むレスポンスを前記外部記憶装置から受信する通信手段と、
前記外部記憶装置のバッテリに関する情報と、前記外部記憶装置の記憶容量に関する情報とを表示する表示手段とを有することを特徴とする撮像装置。
【請求項２】
撮像映像を外部記憶装置に記憶させる撮像装置であって、
複数の取得方法の中から第１の取得方法が選択された場合は、前記外部記憶装置のバッテリに関する情報を含むバッテリキャパシティ情報と、前記外部記憶装置の記憶容量に関する情報を含むストレージキャパシティ情報とを記憶する前記外部記憶装置の記憶手段から前記バッテリキャパシティ情報及び前記ストレージキャパシティ情報を読み出すことを要求するリクエストを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記撮像装置の記憶手段に前記バッテリキャパシティ情報及び前記ストレージキャパシティ情報を書き込むことを要求するリクエストを前記外部記憶装置から受信する通信手段と、
前記外部記憶装置のバッテリに関する情報と、前記外部記憶装置の記憶容量に関する情報とを表示する表示手段とを有することを特徴とする撮像装置。
【請求項３】
撮像映像を外部記憶装置に記憶させる撮像装置であって、
前記外部記憶装置のバッテリに関する情報を含むバッテリキャパシティ情報と、前記外部記憶装置の記憶容量に関する情報を含むストレージキャパシティ情報とを記憶する記憶手段と、
複数の取得方法の中から第１の取得方法が選択された場合は、前記バッテリキャパシティ情報及び前記ストレージキャパシティ情報を問い合せるコマンドを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記記憶手段に前記バッテリキャパシティ情報及び前記ストレージキャパシティ情報を書き込むことを要求するリクエストを前記外部記憶装置から受信する通信手段と、
前記外部記憶装置のバッテリに関する情報と、前記外部記憶装置の記憶容量に関する情報とを表示する表示手段とを有することを特徴とする撮像装置。
【請求項４】
前記バッテリキャパシティ情報は、前記外部記憶装置のバッテリの残量に関する情報を含み、
前記外部記憶装置のバッテリの残量を前記表示手段に表示できるようにしたことを特徴とする請求項１から３のいずれか１項に記載の撮像装置。
【請求項５】
前記バッテリキャパシティ情報は、前記外部記憶装置のバッテリの残りの使用可能時間に関する情報を含み、
前記外部記憶装置のバッテリの残りの使用可能時間を前記表示手段に表示できるようにしたことを特徴とする請求項１から３のいずれか１項に記載の撮像装置。
【請求項６】
前記バッテリキャパシティ情報は、前記外部記憶装置のバッテリの残量に関する情報と、前記外部記憶装置のバッテリの残りの使用可能時間に関する情報とを含み、
前記外部記憶装置のバッテリの残量と、前記外部記憶装置のバッテリの残りの使用可能時間とを前記表示手段に交互に表示できるようにしたことを特徴とする請求項１から３のいずれか１項に記載の撮像装置。
【請求項７】
前記通信手段は、IEEE Std 1394-1995に準拠するものであることを特徴とする請求項１から６のいずれか１項に記載の撮像装置。
【請求項８】
前記撮像装置は、デジタルビデオカメラであり、前記外部記憶装置は、ハードディスク装置であることを特徴とする請求項１から７のいずれか１項に記載の撮像装置。
【請求項９】
前記ストレージキャパシティ情報は、前記外部記憶装置の残りの記憶容量に関する情報を含み、
前記外部記憶装置の残りの記憶容量を前記表示手段に表示できるようにしたことを特徴とする請求項１から８のいずれか１項に記載の撮像装置。
【請求項１０】
前記表示手段は、前記外部記憶装置のバッテリに関する情報と、前記外部記憶装置の記憶容量に関する情報とを同時に表示することを特徴とする請求項１から９のいずれか１項に記載の撮像装置。
【請求項１１】
前記表示手段は、前記外部記憶装置のバッテリに関する情報と、前記外部記憶装置の記憶容量に関する情報とを交互に表示することを特徴とする請求項１から９のいずれか１項に記載の撮像装置。
【発明の詳細な説明】
【０００１】
【発明の属する技術分野】
本発明は、撮像映像を外部記憶装置に記憶させる撮像装置に関するものである。
【０００２】
【従来の技術】
デジタルビデオカメラは、通常、カセットテープ、メモリカードなどの記憶媒体に撮像映像を記録するが、ＩＥＥＥ１３９４インターフェースに接続された外部記憶装置に撮像映像を記録させることもできる。
【０００３】
【発明が解決しようとする課題】
しかしながら、従来のデジタルビデオカメラは、外部記憶装置から同装置のバッテリおよび記憶容量に関する情報を取得する機能も、外部記憶装置のバッテリおよび記憶容量の状態を表示する機能も備えていなかった。そのため、外部記憶装置のバッテリおよび記憶容量に関する情報は、デジタルビデオカメラではなく外部記憶装置に表示されていた。このような構成では、撮像中に外部記憶装置のバッテリおよび記憶容量の状態を確認したい場合、ユーザは被写体から目をそらさなければならないため、撮像がうまく行えないという欠点がある。
【０００４】
また、外部記憶装置のバッテリおよび記憶容量の状態の確認を怠ると、突然外部記憶装置のバッテリが切れて撮像ができなくなったり、突然外部記憶装置の記憶容量がなくなって撮像ができなくなったりするという欠点もある。
【０００５】
本発明は、上述の欠点を解決するためになされたものであり、外部記憶装置のバッテリおよび記憶容量に関する情報をユーザに認識させ、撮像映像の記録が突然できなくなることを未然に防止することを目的とする。
【０００６】
【課題を解決するための手段】
本発明に係る撮像装置の一つは、例えば、撮像映像を外部記憶装置に記憶させる撮像装置であって、複数の取得方法の中から第１の取得方法が選択された場合は、前記外部記憶装置のバッテリに関する情報を含むバッテリキャパシティ情報と、前記外部記憶装置の記憶容量に関する情報を含むストレージキャパシティ情報とを問い合せるコマンドを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記外部記憶装置の記憶手段から前記バッテリキャパシティ情報及び前記ストレージキャパシティ情報を読み出すことを要求するリクエストを前記外部記憶装置に送信し、前記バッテリキャパシティ情報及び前記ストレージキャパシティ情報を含むレスポンスを前記外部記憶装置から受信する通信手段と、前記外部記憶装置のバッテリに関する情報と、前記外部記憶装置の記憶容量に関する情報とを表示する表示手段とを有することを特徴とする。
【０００７】
本発明に係る撮像装置の一つは、例えば、撮像映像を外部記憶装置に記憶させる撮像装置であって、複数の取得方法の中から第１の取得方法が選択された場合は、前記外部記憶装置のバッテリに関する情報を含むバッテリキャパシティ情報と、前記外部記憶装置の記憶容量に関する情報を含むストレージキャパシティ情報とを記憶する前記外部記憶装置の記憶手段から前記バッテリキャパシティ情報及び前記ストレージキャパシティ情報を読み出すことを要求するリクエストを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記撮像装置の記憶手段に前記バッテリキャパシティ情報及び前記ストレージキャパシティ情報を書き込むことを要求するリクエストを前記外部記憶装置から受信する通信手段と、前記外部記憶装置のバッテリに関する情報と、前記外部記憶装置の記憶容量に関する情報とを表示する表示手段とを有することを特徴とする。
【０００８】
本発明に係る撮像装置の一つは、例えば、撮像映像を外部記憶装置に記憶させる撮像装置であって、前記外部記憶装置のバッテリに関する情報を含むバッテリキャパシティ情報と、前記外部記憶装置の記憶容量に関する情報を含むストレージキャパシティ情報とを記憶する記憶手段と、複数の取得方法の中から第１の取得方法が選択された場合は、前記バッテリキャパシティ情報及び前記ストレージキャパシティ情報を問い合せるコマンドを前記外部記憶装置に送信し、前記バッテリキャパシティ情報及び前記ストレージキャパシティ情報を含むレスポンスを前記外部記憶装置から受信し、前記複数の取得方法の中から第２の取得方法が選択された場合は、前記記憶手段に前記バッテリキャパシティ情報及び前記ストレージキャパシティ情報を書き込むことを要求するリクエストを前記外部記憶装置から受信する通信手段と、前記外部記憶装置のバッテリに関する情報と、前記外部記憶装置の記憶容量に関する情報とを表示する表示手段とを有することを特徴とする。
【００１２】
【発明の実施の形態】
以下、図面を参照し、本発明に好適な実施の形態を説明する。
【００１３】
まず、図１を参照し、本実施の形態における映像記録システムであるデジタルビデオカメラシステム１０を説明する。
【００１４】
デジタルビデオカメラシステム１０は、図１に示すように、デジタルビデオカメラ（以下、ＤＶＣ）１１およびＡＶハードディスク装置（以下、ＡＶＨＤＤ）１２を含む。ＤＶＣ１１は本実施の形態における撮像装置であり、ＡＶＨＤＤ１２は本実施の形態における外部記憶装置である。ＡＶＨＤＤ１２をＤＶＣ１１に接続した場合、ＤＶＣ１１は撮像映像をＡＶＨＤＤ１２に記録させることが可能である。
【００１５】
ＡＶＨＤＤ１２は、図１に示すように、デジタルインターフェース部（以下、ＤＩＦ部）１２１、レジスタ空間１２２、制御部１２３、ハードディスクユニット１２４、バッテリ１２５を有する。
【００１６】
ＤＩＦ部１２１は、シリアルバスに関する規格の一つであるIEEE Std 1394-1995およびそれに関連する規格（IEEE Std 1394a-2000など）に準拠するデジタルインターフェースである。
【００１７】
レジスタ空間１２２は、ISO/IEC 13213:1994で規定されたＣＳＲ（Control and Status Register）アーキテクチャの一部であり、ＡＶＨＤＤ１２に関する情報を記憶する。また、レジスタ空間１２２は、ＡＶＨＤＤ１２が後述するＦＣＰ方式をサポートしているならばコマンドレジスタを有し、後述するＲＴ方式をサポートしているならばＢＳＲレジスタを有する。
【００１８】
制御部１２３は、マイクロコンピュータおよびメモリを有する。制御部１２３のメモリには、ＤＶＣ１１の各機能を制御するための制御プログラムが格納されている。図２〜図８で説明するＡＶＨＤＤ１２の処理手順を制御するプログラムも制御部１２３のメモリに記憶されている。
【００１９】
また、制御部１２３は、ＡＶＨＤＤ１２の最新のバッテリキャパシティ情報およびストレージキャパシティ情報を管理する機能を有する。バッテリキャパシティ情報とは、ＡＶＨＤＤ１２のバッテリに関する情報であり、バッテリ１２５の最大容量、残量、最大使用可能時間および残りの使用可能時間を示す情報を含む。一方、ストレージキャパシティ情報とは、ＡＶＨＤＤ１２の記憶容量に関する情報であり、ハードディスクユニット１２４の最大記憶容量および残りの記憶容量を示す情報を含む。
【００２０】
一方、ＤＶＣ１１は、図１に示すように、デジタルインターフェース部（以下、ＤＩＦ部）１１１、レジスタ空間１１２、制御部１１３、表示部１１４を有する。
【００２１】
ＤＩＦ部１１１は、シリアルバスに関する規格の一つであるIEEE Std 1394-1995およびそれに関連する規格（IEEE Std 1394a-2000など）に準拠するデジタルインターフェースである。
【００２２】
レジスタ空間１１２は、ISO/IEC 13213:1994で規定されたＣＳＲ（Control and Status Register）アーキテクチャの一部であり、ＤＶＣ１１に関する情報を記憶する。また、レジスタ空間１２２は、ＤＶＣ１１が後述するＦＣＰ方式をサポートしているならばレスポンスレジスタを有し、後述するＷＴ方式をサポートしているならばＢＳＷレジスタを有する。
【００２３】
制御部１１３は、マイクロコンピュータおよびメモリを有する。制御部１１３のメモリには、ＤＶＣ１１の各機能を制御するための制御プログラムが格納されている。図２〜図８で説明するＤＶＣ１１の処理手順を制御するプログラムも制御部１１３のメモリに記憶されている。
【００２４】
また、制御部１１３は、ＡＶＨＤＤ１２の最新のバッテリキャパシティ情報およびストレージキャパシティ情報を取得する機能を有する。さらに、制御部１１３は、バッテリキャパシティ情報およびストレージキャパシティ情報からＡＶＨＤＤ１２のバッテリおよび記憶容量の最新の状態を検出し、それらを表示部１１４に表示する機能を有する。制御部１１３は、ＡＶＨＤＤ１２のバッテリおよび記憶容量の状態を同一画面上に同時にあるいは交互に表示する。ＡＶＨＤＤ１２のバッテリの状態を表示する場合、制御部１１３はＡＶＨＤＤ１２のバッテリの最大容量、残量、最大使用可能時間および残りの使用可能時間を同一画面上に同時にあるいは交互に表示する。ＡＶＨＤＤ１２の記憶容量の状態を表示する場合、制御部１１３はＡＶＨＤＤ１２の記憶容量の最大記憶容量および残りの記憶容量を同一画面上に同時にあるいは交互に表示する。
【００２５】
次に、図６を参照し、キャパシティ情報取得方式の一つであるＦＣＰ方式を説明する。
【００２６】
ＦＣＰ方式は、IEC 61883-1で規定されたＦＣＰ（Function Control Protocol）を用いて、問合せコマンドおよび問合せレスポンスを送受信する方式である。問合せコマンドは、ＡＶＨＤＤ１２の最新のバッテリキャパシティ情報およびストレージキャパシティ情報を要求するコマンドである。一方、問合せレスポンスは、問合せコマンドに対応するレスポンスであり、ＡＶＨＤＤ１２の最新のバッテリキャパシティ情報およびストレージキャパシティ情報を含む。
【００２７】
（１）制御部１１３は、問合せコマンドを生成し、それをＤＩＦ部１１１に供給する。この処理は、所定時間が経過した場合、バスリセットが発生した場合、および、ユーザの操作（撮像の開始、一時停止など）が検出された場合に実行される。
【００２８】
（２）ＤＩＦ部１１１は、問合せコマンドをＡＶＨＤＤ１２に送信する。
【００２９】
（３）ＤＩＦ部１２１は、ＤＶＣ１１からの問合せコマンドを受信し、それをコマンドレジスタ６１に書き込む。
【００３０】
（４）制御部１２３は、コマンドレジスタ６１から問合せコマンドを読み出した後、ＡＶＨＤＤ１２の最新のバッテリキャパシティ情報およびストレージキャパシティ情報を含むリードレスポンスを生成し、それをＤＩＦ部１２１に供給する。
【００３１】
（５）ＤＩＦ部１２１は、問合せレスポンスをＤＶＣ１１に返信する。
【００３２】
（６）ＤＩＦ部１１１は、ＡＶＨＤＤ１２からの問合せレスポンスを受信し、それをレスポンスレジスタ６２に書き込む。
【００３３】
（７）制御部１１３は、レスポンスレジスタ６２から問合せレスポンスを読み出し、それからＡＶＨＤＤ１２の最新のバッテリキャパシティ情報およびストレージキャパシティ情報を取得する。そして、バッテリキャパシティ情報およびストレージキャパシティ情報からＡＶＨＤＤ１２のバッテリおよび記憶容量の状態を検出し、それらを表示部１１４に表示する。
【００３４】
次に、図７を参照し、キャパシティ情報取得方式の一つであるＲＴ方式を説明する。
【００３５】
ＲＴ方式は、IEEE Std 1394-1995で規定されたリードトランザクションを用いて、ＡＶＨＤＤ１２のレジスタ空間１２２内のＢＳＲレジスタ７１からＡＶＨＤＤ１２の最新のバッテリキャパシティ情報およびストレージキャパシティ情報を読み出す方式である。
【００３６】
（１）制御部１２３は、ＡＶＨＤＤ１２の最新のバッテリキャパシティ情報およびストレージキャパシティ情報を検出し、それらの情報をＢＳＲレジスタ７１に格納する。この処理は、バッテリ１２５の残量および残りの使用可能時間が所定の基準値を超えた場合、並びに、ハートディスクユニット１２４の残りの記憶容量が所定の基準値を超えた場合に実行される。
【００３７】
（２）制御部１１３は、ＢＳＲレジスタ７１の読み出しをＡＶＨＤＤ１２に要求するリードリクエストを生成し、それをＤＩＦ部１１１に供給する。この処理は、所定時間が経過した場合、バスリセットが発生した場合、および、ユーザの操作（撮像の開始、一時停止など）が検出された場合に実行される。
【００３８】
（３）ＤＩＦ部１１１は、リードリクエストをＡＶＨＤＤ１２に送信する。
【００３９】
（４）ＤＩＦ部１２１は、ＤＶＣ１１からのリードリクエストを受信し、それを制御部１２３に供給する。
【００４０】
（５）制御部１２３は、ＢＳＲレジスタ７１からＡＶＨＤＤ１２の最新のバッテリキャパシティ情報およびストレージキャパシティ情報を読み出す。
【００４１】
（６）制御部１２３は、ＢＳＲレジスタ７１から読み出たバッテリキャパシティ情報およびストレージキャパシティ情報を含むリードレスポンスを生成し、それをＤＩＦ部１２１に供給する。
【００４２】
（７）ＤＩＦ部１２１は、リードレスポンスをＤＶＣ１１に送信する。
【００４３】
（８）ＤＩＦ部１１１は、ＡＶＨＤＤ１２からのリードレスポンスを受信し、それを制御部１１３に供給する。
【００４４】
（９）制御部１１３は、リードレスポンスからＡＶＨＤＤ１２の最新のバッテリキャパシティ情報およびストレージキャパシティ情報を取得する。そして、バッテリキャパシティ情報およびストレージキャパシティ情報からＡＶＨＤＤ１２のバッテリおよび記憶容量の状態を検出し、それらを表示部１１４に表示する。
【００４５】
次に、図８を参照し、キャパシティ情報取得方式の一つであるＷＴ方式を説明する。
【００４６】
ＷＴ方式は、IEEE Std 1394-1995で規定されたライトトランザクションを用いて、ＤＶＣ１１のレジスタ空間１１２内のＢＳＷレジスタ８１にＡＶＨＤＤ１２の最新のバッテリキャパシティ情報およびストレージキャパシティ情報を書き込む方式である。
【００４７】
（１）制御部１２３は、ＡＶＨＤＤ１２の最新のバッテリキャパシティ情報およびストレージキャパシティ情報をＢＳＷレジスタ８１に書き込むことを要求するライトリクエストを生成し、それをＤＩＦ部１２１に供給する。この処理は、バッテリ１２５の残量および残りの使用可能時間が所定の基準値を超えた場合、並びに、ハートディスクユニット１２４の残りの記憶容量が所定の基準値を超えた場合に実行される。
【００４８】
（２）ＤＩＦ部１２１は、ライトリクエストをＤＶＣ１１に送信する。
【００４９】
（３）ＤＩＦ部１１１は、ＡＶＨＤＤ１２からのライトリクエストを受信し、それをＢＳＷレジスタ８１に書き込む。（１）〜（３）の処理を繰り返し行うことにより、最新のバッテリキャパシティ情報およびストレージキャパシティ情報は常にＢＳＷレジスタ８１に記憶されることになる。
【００５０】
（４）制御部１１３は、ＢＳＷレジスタ８１からＡＶＨＤＤ１２の最新のバッテリキャパシティ情報およびストレージキャパシティ情報を取得する。この処理は、所定時間が経過した場合、バスリセットが発生した場合、および、ユーザの操作（撮像の開始、一時停止など）が検出された場合に実行される。
【００５１】
（５）制御部１１３は、バッテリキャパシティ情報およびストレージキャパシティ情報からＡＶＨＤＤ１２のバッテリおよび記憶容量の状態を検出し、それらを表示部１１４に表示する。
【００５２】
以下、図２〜図５を用いて、デジタルビデオカメラシステム１０の処理手順を説明する。
【００５３】
ステップＳ２０１：制御部１１３は、ＡＶＨＤＤ１２にＡＶＨＤＤ１２がサポートしているキャパシティ情報取得方式を問い合せる。
【００５４】
ステップＳ２０２：制御部１１３は、ＦＣＰ方式を使用するか否かを判定する。ＡＶＨＤＤ１２がＦＣＰ方式をサポートしており、且つ、制御部１１３がＦＣＰ方式を選択した場合、本フローチャートはステップＳ２０２１に進む。
【００５５】
ステップＳ２０３：制御部１１３は、ＲＴ方式を使用するか否かを判定する。ＡＶＨＤＤ１２がＲＴ方式をサポートしており、且つ、制御部１１３がＲＴ方式を選択した場合、本フローチャートはステップＳ２０３１に進む。
【００５６】
ステップＳ２０４：制御部１１３は、ＷＴ方式を使用するか否かを判定する。ＡＶＨＤＤ１２がＷＴ方式をサポートしており、且つ、制御部１１３がＷＴ方式を選択した場合、本フローチャートはステップＳ２０４１に進む。
【００５７】
ステップＳ２０２１：制御部１１３は、上述の問合せコマンドを生成し、それをＤＩＦ部１１１に供給する。ＤＩＦ部１１１は、問合せコマンドをＡＶＨＤＤ１２に送信する。ＤＩＦ部１２１は、ＤＶＣ１１からの問合せコマンドを受信し、それをレジスタ空間１２２内のコマンドレジスタ６１に書き込む。コマンドレジスタ６１に書き込まれた問合せコマンドは、制御部１２３に供給される。
【００５８】
ステップＳ２０２２：制御部１２３は、ＡＶＨＤＤ１２の最新のバッテリキャパシティ情報およびストレージキャパシティ情報を格納したリードレスポンスを生成し、それをＤＩＦ部１２１に供給する。ＤＩＦ部１２１は、問合せレスポンスをＤＶＣ１１に返信する。ＤＩＦ部１１１は、ＡＶＨＤＤ１２からの問合せレスポンスを受信し、それをレジスタ空間１１２内のレスポンスレジスタ６２に書き込む。レスポンスレジスタ６２に書き込まれた問合せレスポンスは、制御部１１３に供給される。
【００５９】
ステップＳ２０２３：制御部１１３は、問い合せレスポンスからＡＶＨＤＤ１２の最新のバッテリキャパシティ情報およびストレージキャパシティ情報を取得する。
【００６０】
ステップＳ２０２３：制御部１１３は、最新のバッテリキャパシティ情報からＡＶＨＤＤ１２のバッテリの状態を検出し、それを表示部１１４に表示する。このとき、制御部１１３は、ＡＶＨＤＤ１２のバッテリの最大容量、残量、最大使用可能時間および残りの使用可能時間を同一画面上に同時にあるいは交互に表示部１１４に表示する。ユーザは、表示部１１４を見ることにより、ＡＶＨＤＤ１２のバッテリの状態を認識することができる。
【００６１】
ステップＳ２０２４：制御部１１３は、最新のストレージキャパシティ情報からＡＶＨＤＤ１２の記憶容量の状態を検出し、それを表示部１１４に表示する。このとき、制御部１１３は、ＡＶＨＤＤ１２の記憶容量の最大記憶容量および残りの記憶容量を同一画面上に同時にあるいは交互に表示部１１４に表示する。ユーザは、表示部１１４を見ることにより、ＡＶＨＤＤ１２の記憶容量の状態を認識することができる。
【００６２】
ステップＳ２０２７：制御部１１３は、ＡＶＨＤＤ１２がまだＤＶＣ１１に接続されているか否かを判定する。ＡＶＨＤＤ１２がＤＶＣ１１から物理的あるいは論理的に切り離された場合、本フローチャートは終了する。
【００６３】
ステップＳ２０３１：制御部１１３は、ＢＳＲレジスタ７１の読み出しをＡＶＨＤＤ１２に要求するリードリクエストを生成し、それをＤＩＦ部１１１に供給する。ＤＩＦ部１１１は、リードリクエストをＡＶＨＤＤ１２に送信する。ＤＩＦ部１２１は、ＤＶＣ１１からのリードリクエストを受信し、それを制御部１２３に供給する。
【００６４】
ステップＳ２０３２：制御部１２３は、ＢＳＲレジスタ７１からＡＶＨＤＤ１２の最新のバッテリキャパシティ情報およびストレージキャパシティ情報を読み出し、それらの情報を格納したリードレスポンスを生成する。ＤＩＦ部１２１は、リードレスポンスをＤＶＣ１１に送信する。ＤＩＦ部１１１は、ＡＶＨＤＤ１２からのリードレスポンスを受信し、それを制御部１１３に供給する。
【００６５】
ステップＳ２０３３：制御部１１３は、リードレスポンスからＡＶＨＤＤ１２の最新のバッテリキャパシティ情報およびストレージキャパシティ情報を取得する。
【００６６】
ステップＳ２０３４：制御部１１３は、最新のバッテリキャパシティ情報からＡＶＨＤＤ１２のバッテリの状態を検出し、それを表示部１１４に表示する。このとき、制御部１１３は、ＡＶＨＤＤ１２のバッテリの最大容量、残量、最大使用可能時間および残りの使用可能時間を同一画面上に同時にあるいは交互に表示部１１４に表示する。ユーザは、表示部１１４を見ることにより、ＡＶＨＤＤ１２のバッテリの状態を認識することができる。
【００６７】
ステップＳ２０３５：制御部１１３は、最新のストレージキャパシティ情報からＡＶＨＤＤ１２の記憶容量の状態を検出し、それを表示部１１４に表示する。このとき、制御部１１３は、ＡＶＨＤＤ１２の記憶容量の最大記憶容量および残りの記憶容量を同一画面上に同時にあるいは交互に表示部１１４に表示する。ユーザは、表示部１１４を見ることにより、ＡＶＨＤＤ１２の記憶容量の状態を認識することができる。
【００６８】
ステップＳ２０３６：制御部１１３は、ＡＶＨＤＤ１２がまだＤＶＣ１１に接続されているか否かを判定する。ＡＶＨＤＤ１２がＤＶＣ１１から物理的あるいは論理的に切り離された場合、本フローチャートは終了する。
【００６９】
ステップＳ２０４１：制御部１１３は、ＢＳＷレジスタ８１からＡＶＨＤＤ１２の最新のバッテリキャパシティ情報およびストレージキャパシティ情報を取得する。
【００７０】
ステップＳ２０４２：制御部１１３は、最新のバッテリキャパシティ情報からＡＶＨＤＤ１２のバッテリの状態を検出し、それを表示部１１４に表示する。このとき、制御部１１３は、ＡＶＨＤＤ１２のバッテリの最大容量、残量、最大使用可能時間および残りの使用可能時間を同一画面上に同時にあるいは交互に表示部１１４に表示する。ユーザは、表示部１１４を見ることにより、ＡＶＨＤＤ１２のバッテリの状態を認識することができる。
【００７１】
ステップＳ２０４３：制御部１１３は、最新のストレージキャパシティ情報からＡＶＨＤＤ１２の記憶容量の状態を検出し、それを表示部１１４に表示する。このとき、制御部１１３は、ＡＶＨＤＤ１２の記憶容量の最大記憶容量および残りの記憶容量を同一画面上に同時にあるいは交互に表示部１１４に表示する。ユーザは、表示部１１４を見ることにより、ＡＶＨＤＤ１２の記憶容量の状態を認識することができる。
【００７２】
ステップＳ２０４４：制御部１１３は、ＡＶＨＤＤ１２がまだＤＶＣ１１に接続されているか否かを判定する。ＡＶＨＤＤ１２がＤＶＣ１１から物理的あるいは論理的に切り離された場合、本フローチャートは終了する。
【００７３】
このように、本実施の形態におけるＤＶＣ１１によれば、ＡＶＨＤＤ１２がＦＣＰ方式、ＲＴ方式、ＷＴ方式の何れをサポートしている場合であっても、ＡＶＨＤＤ１２の最新のバッテリキャパシティ情報およびストレージキャパシティ情報を取得することができる。
【００７４】
また、本実施の形態におけるＤＶＣ１１によれば、ＡＶＨＤＤ１２のバッテリおよび記憶容量の状態を表示することができるので、ＡＶＨＤＤ１２のバッテリおよび記憶容量の状態をユーザに認識させ、撮像映像の記録が突然できなくなることを未然に防止することができる。また、被写体から目をそらすことなく、ＡＶＨＤＤ１２のバッテリおよび記憶容量の状態を確認することもできる。
【００７５】
なお、本発明は、ＡＶハードディスク装置に限るものではなく、ＡＶハードディスク装置以外のリムーバブルストレージ装置にも適用可能である。
【００７６】
【発明の効果】
本発明によれば、外部記憶装置のバッテリおよび記憶容量に関する情報をユーザに認識させ、撮像映像の記録が突然できなくなることを未然に防止することができる。
【図面の簡単な説明】
【図１】本実施の形態におけるデジタルビデオカメラシステムの概略構成を示すブロック図である。
【図２】図１に示すデジタルビデオカメラシステムの処理手順を示すフローチャートである。
【図３】ＦＣＰ方式の処理手順を示すフローチャートである。
【図４】ＲＴ方式の処理手順を示すフローチャートである。
【図５】ＷＴ方式の処理手順を示すフローチャートである。
【図６】ＦＣＰ方式を説明する図である。
【図７】ＲＴ方式を説明する図である。
【図８】ＷＴ方式を説明する図である。
【符号の説明】
１０  デジタルビデオカメラシステム
２０  デジタルビデオカメラ（撮像装置）
３０  ＡＶハードディスク装置（外部記憶装置）
１１１  デジタルインターフェース部
１１２  レジスタ空間
１１３  制御部
１１４  表示部
１２１  デジタルインターフェース部
１２２  レジスタ空間
１２３  制御部
１２４  ハードディスクユニット
１２５  バッテリ
【図１】
0004086539.tif 000002
【図２】
0004086539.tif 000003
【図３】
0004086539.tif 000004
【図４】
0004086539.tif 000005
【図５】
0004086539.tif 000006
【図６】
0004086539.tif 000007
【図７】
0004086539.tif 000008
【図８】
0004086539.tif 000009